(57)【要約】【課題】高圧システムに異常がある旨を示すフェール信号ＦＬと、高圧システム内のスイッチング素子ＳＷの温度情報を表現する温度情報信号ＴＩＳとを低圧システムに伝達させるものにあって、絶縁素子の数が増大すること。【解決手段】温度情報信号ＴＩＳとフェール信号ＦＬとは、排他的論理和回路３６にて合成されて合成信号ＣＳとされる。合成信号ＣＳは、フォトカプラ４６を介して低圧システムに出力される。フォトカプラ４６の出力信号から、ローパスフィルタ５２及び波形整形回路５４によって温度情報信号ＴＩＳが抽出され、マイコン２０に取り込まれる。また、フォトカプラ４６の出力信号のディレイ５６による遅延信号と、波形整形回路５４の出力信号との排他的論理和回路５８による排他的論理和信号として、フェール信号ＦＬが抽出され、マイコン２０に取り込まれる。【選択図】      図２
2009136115.tif 000002
【特許請求の範囲】
【請求項１】
高圧システムに異常がある旨を示すフェール信号と、前記高圧システム内の物理量に関する情報を表現する物理量情報信号とを低圧システムに伝達させる信号伝達装置において、
前記低圧システム内に、前記物理量情報信号及び前記フェール信号を絶縁手段及びシリアルラインを介して前記高圧システム側から受信する受信手段と、該受信手段が受信した信号から前記物理量情報信号及び前記フェール信号を抽出する抽出手段とを備えることを特徴とする信号伝達装置。
【請求項２】
前記物理量情報信号は、論理「Ｈ」及び論理「Ｌ」の時比率信号であり、
前記フェール信号は、前記時比率信号の論理「Ｈ」及び論理「Ｌ」のいずれの期間よりも短いパルス信号であり、
前記シリアルライン及び前記絶縁手段を介して伝達される信号は、前記物理量情報信号及び前記フェール信号の排他的論理和信号であることを特徴とする請求項１記載の信号伝達装置。
【請求項３】
前記抽出手段は、前記物理量情報信号を抽出する手段として、ローパスフィルタ及び波形整形回路を備えて且つ、前記フェール信号を抽出する手段として、遅延回路と、前記抽出される物理量情報信号及び前記遅延回路の出力信号の排他的論理和信号を生成する手段とを備えることを特徴とする請求項２記載の信号伝達装置。
【請求項４】
前記抽出手段の抽出する２つの信号である前記物理量情報信号及び前記フェール信号を各別の信号線から取り込むマイクロコンピュータを更に備えることを特徴とする請求項１〜３のいずれか１項に記載の信号伝達装置。
【請求項５】
前記物理量情報信号は、前記高圧システム内の温度情報に関する信号であることを特徴とする請求項１〜４のいずれか１項に記載の信号伝達装置。
【発明の詳細な説明】
【技術分野】
【０００１】
本発明は、高圧システムに異常がある旨を示すフェール信号と、前記高圧システム内の物理量に関する情報を表現する物理量情報信号とを低圧システムに伝達させる信号伝達装置に関する。
【背景技術】
【０００２】
車載電動機を駆動するインバータにおいては、これを構成するスイッチング素子に大電流が流れることに起因して、その温度が上昇しやすい。そして、スイッチング素子の温度が過度に高くなる場合、スイッチング素子の信頼性が低下する。このため、車載インバータには、通常、感温ダイオード等、スイッチング素子の温度を感知する手段が設けられており、感知された温度に関する情報に基づき、低圧システムを構成するマイコン等がスイッチング素子の温度を管理するようにしている。
【０００３】
また、インバータを構成するスイッチング素子を流れる電流が過度に大きくなる場合にも、スイッチング素子の信頼性が低下する。このため、通常、スイッチング素子に過度の電流が流れる異常等が生じる場合、インバータのシャットダウンを促す等の目的から、上記低圧システムを構成するマイコン等にフェール信号を出力する機能が搭載されている。
【０００４】
上記温度情報に関する信号やフェール信号を高圧システムから低圧システムに伝達する際には、これら両システム間を絶縁する必要がある。このため、これらの信号は、例えば下記特許文献１に例示されているように、絶縁素子を介して高圧システムから低圧システムへと出力される。
【特許文献１】特開２００６−５４９３３号公報
【発明の開示】
【発明が解決しようとする課題】
【０００５】
ところで、上記のように高圧システムから低圧システムへと温度情報に関する信号とフェール信号との双方を伝達する場合、これら各信号毎に絶縁素子を必要とすることとなり、部品点数の増加やコストアップの要因となる。
【０００６】
なお、上記温度情報に関する信号に限らず、一般に、高圧システム内の物理量に関する情報を有する物理量情報信号とフェール信号とを高圧システムから低圧システムへと伝達するものにあっては、必要な絶縁素子の数が増大するこうした実情も概ね共通したものとなっている。
【０００７】
本発明は、上記課題を解決するためになされたものであり、その目的は、高圧システムに異常がある旨を示すフェール信号と、前記高圧システム内の物理量に関する情報を表現する物理量情報信号とを低圧システムに伝達させるものにあって、絶縁素子の数の増大を好適に抑制することのできる信号伝達装置を提供することにある。
【課題を解決するための手段】
【０００８】
以下、上記課題を解決するための手段、及びその作用効果について記載する。
【０００９】
請求項１記載の発明は、高圧システムに異常がある旨を示すフェール信号と、前記高圧システム内の物理量に関する情報を表現する物理量情報信号とを低圧システムに伝達させる信号伝達装置において、前記低圧システム内に、前記物理量情報信号及び前記フェール信号を絶縁手段及びシリアルラインを介して前記高圧システム側から受信する受信手段と、該受信手段が受信した信号から前記物理量情報信号及び前記フェール信号を抽出する抽出手段とを備えることを特徴とする。
【００１０】
上記発明では、抽出手段を備えることで、シリアルラインを介してフェール信号と物理量情報信号とを同一の絶縁手段を介して高圧システムから低圧システムへと伝達させることができる。このため、絶縁手段の数の増大を好適に抑制することができる。
【００１１】
請求項２記載の発明は、請求項１記載の発明において、前記物理量情報信号は、論理「Ｈ」及び論理「Ｌ」の時比率信号であり、前記フェール信号は、前記時比率信号の論理「Ｈ」及び論理「Ｌ」のいずれの期間よりも短いパルス信号であり、前記シリアルライン及び前記絶縁手段を介して伝達される信号は、前記物理量情報信号及び前記フェール信号の排他的論理和信号であることを特徴とする。
【００１２】
上記発明では、排他的論理和信号に、時比率信号の論理「Ｈ」及び論理「Ｌ」の期間よりも短い期間の変化が生じるか否かによって、フェール信号を表現することができる。
【００１３】
請求項３記載の発明は、請求項２記載の発明において、前記抽出手段は、前記物理量情報信号を抽出する手段として、ローパスフィルタ及び波形整形回路を備えて且つ、前記フェール信号を抽出する手段として、遅延回路と、前記抽出される物理量情報信号及び前記遅延回路の出力信号の排他的論理和信号を生成する手段とを備えることを特徴とする。
【００１４】
受信手段の受信する排他的論理和信号にフェール信号が重畳されている場合、この排他的論理和信号には、ローパスフィルタを透過しない極短いパルス変化が生じる。このため、排他的論理和信号をローパスフィルタ処理及び波形整形処理することで、物理量情報信号を抽出することができる。また、受信手段の受信する排他的論理和信号を遅延回路にて遅延させることで、ローパスフィルタによって遅延された信号（抽出される物理量情報信号）との同期を取ることができる。このため、抽出される物理量情報信号と遅延回路の出力信号との排他的論理和信号によって、フェール信号を抽出することができる。
【００１５】
請求項４記載の発明は、請求項１〜３のいずれか１項に記載の発明において、前記抽出手段の抽出する２つの信号である前記物理量情報信号及び前記フェール信号を各別の信号線から取り込むマイクロコンピュータを更に備えることを特徴とする。
【００１６】
上記発明では、物理量情報信号及びフェール信号をマイクロコンピュータが簡易に取得することができる。
【００１７】
請求項５記載の発明は、請求項１〜４のいずれか１項に記載の発明において、前記物理量情報信号は、前記高圧システム内の温度情報に関する信号であることを特徴とする。
【００１８】
上記発明では、温度情報に関する信号を伝達することで、高圧システム内の温度を適切に管理することができる。また、温度情報は、フェール信号ほどにはその情報を迅速に伝達させる要求に乏しいため、上記請求項２記載の発明特定事項とすることが、特に適切である。
【発明を実施するための最良の形態】
【００１９】
以下、本発明にかかる信号伝達装置をハイブリッド車の高圧システムに適用した一実施形態について、図面を参照しつつ説明する。
【００２０】
図１に、本実施形態にかかるモータジェネレータの制御システムの全体構成を示す。
【００２１】
図示されるように、モータジェネレータ１０の３つの相（Ｕ相、Ｖ相、Ｗ相）には、インバータ１２が接続されている。このインバータ１２は、３相インバータであり、高圧バッテリ１４の電圧をモータジェネレータ１０の３つの相に適宜印加する。詳しくは、インバータ１２は、３つの相のそれぞれと高圧バッテリ１４の正極側又は負極側とを導通させるべく、スイッチング素子ＳＷ１、ＳＷ２とスイッチング素子ＳＷ３，ＳＷ４とスイッチング素子ＳＷ５，ＳＷ６との並列接続体を備えて構成されている。そして、スイッチング素子ＳＷ１及びスイッチング素子ＳＷ２を直列接続する接続点がモータジェネレータ１０のＵ相と接続されている。また、スイッチング素子ＳＷ３及びスイッチング素子ＳＷ４を直列接続する接続点がモータジェネレータ１０のＶ相と接続されている。更に、スイッチング素子ＳＷ５及びスイッチング素子ＳＷ６を直列接続する接続点がモータジェネレータ１０のＷ相と接続されている。ちなみに、これらスイッチング素子ＳＷ１〜ＳＷ６は、本実施形態では、絶縁ゲートバイポーラトランジスタ（ＩＧＢＴ）によって構成されている。また、インバータ１２は、各スイッチング素子ＳＷ１〜ＳＷ６に逆並列に接続されたフライホイールダイオードＤ１〜Ｄ６を備えている。
【００２２】
上記スイッチング素子ＳＷ１〜ＳＷ６は、そのコレクタ及びエミッタ間を流れる電流（コレクタ電流）と相関を有する微少な電流（センス電流）を出力するセンス端子ＳＴを備えている。また、上記スイッチング素子ＳＷ１〜ＳＷ６の近傍には、これらの温度を感知する感温ダイオードＳＤが設けられている。
【００２３】
上記スイッチング素子ＳＷ１〜ＳＷ６は、ドライバユニット１６を介して、低圧バッテリ１８を電力源とするマイクロコンピュータ（マイコン２０）により操作される。ドライバユニット１６では、感温ダイオードＳＤの出力信号をマイコン２０に出力する。また、ドライバユニット１６は、センス電流に基づき、スイッチング素子ＳＷ１〜ＳＷ６に過度の電流が流れる場合には、フェール信号をマイコン２０に出力する。図２に、ドライバユニット１６のうち、スイッチング素子ＳＷ１〜ＳＷ６のいずれか１つ（以下、スイッチング素子ＳＷ）について、こうした処理を行う部分に関する構成を示す。
【００２４】
図示されるように、スイッチング素子ＳＷのセンス端子ＳＴは、抵抗体３０を介して接地されている（スイッチング素子ＳＷのエミッタと接続されている）。抵抗体３０におけるセンス電流による電圧降下量は、フェール信号生成部３２に取り込まれる。フェール信号生成部３２では、上記電圧降下量に基づき、スイッチング素子ＳＷを流れる電流量が、その信頼性の低下を招くおそれのない上限値に応じた閾値を上回ると判断される場合、フェール信号ＦＬを生成して出力する。フェール信号ＦＬは、過電流が流れる異常が生じることで極短時間論理「Ｈ」となるワンショットのパルス信号である。ただし、本実施形態では、フェール信号ＦＬは、異常の生じた旨のみならず、その後異常が解消した旨をも通知する信号である。すなわち、フェール信号ＦＬが一旦出力された後、フェール信号ＦＬが再度出力されることで、異常が解消された旨を表現する。
【００２５】
一方、上記感温ダイオードＳＤの出力信号は、ＰＷＭ処理部３４に取り込まれる。ＰＷＭ処理部３４は、感温ダイオードＳＤの出力信号としてのアナログ信号を、パルス幅変調することで、温度情報信号ＴＩＳを生成する。温度情報信号ＴＩＳは、論理「Ｈ」及び論理「Ｌ」の時比率信号（Ｄｕｔｙ信号）である。詳しくは、論理「Ｈ」及び論理「Ｌ」を周期的に繰り返す信号であって且つ、その周期に対する論理「Ｈ」となる期間の比（時比率）によって、感温ダイオードＳＤの感知した温度を表現する。特に本実施形態では、温度情報信号ＴＩＳの論理「Ｈ」となる期間及び論理「Ｌ」となる期間が、上記フェール信号ＦＬのパルス幅よりも長くなるように設定されている。
【００２６】
排他的論理和回路３６は、温度情報信号ＴＩＳとフェール信号ＦＬとを合成することで、これらの排他的論理和信号（合成信号ＣＳ）を生成して出力する。排他的論理和回路３６の出力信号は、例えばＮチャネルＭＯＳトランジスタ等からなるスイッチング素子３８の導通制御端子（ゲート）に印加される。スイッチング素子３８の入出力端子の一方は接地されており、他方は、抵抗体４０，４２を介して高圧側電源４４に接続されている。
【００２７】
上記抵抗体４２には、フォトカプラ４６の１次側であるフォトダイオードが並列接続されている。一方、フォトカプラ４６の２次側のフォトトランジスタのエミッタは接地されており、コレクタは、抵抗体４８を介して低圧側電源５０に接続されている。これにより、合成信号ＣＳが論理「Ｈ」となることでスイッチング素子３８がオン状態となると、フォトカプラ４６もオン状態となり、その２次側のフォトトランジスタのコレクタ電位が論理「Ｌ」となる。これに対し、合成信号ＣＳが論理「Ｌ」となると、スイッチング素子３８がオフ状態となることで、フォトカプラ４６もオフ状態となり、その２次側のフォトトランジスタのコレクタ電位が論理「Ｈ」となる。このように、フォトカプラ４６の出力信号は、合成信号ＣＳの論理を反転させたものとなる。
【００２８】
フォトカプラ４６の出力信号は、ローパスフィルタ５２に取り込まれる。ローパスフィルタ５２では、温度情報信号ＴＩＳ程度の周波数を低周波としてこれを透過させる一方、上記フェール信号ＦＬのパルス幅を有する信号を高周波信号としてこれをカットする。波形整形回路５４は、ローパスフィルタ５２の出力信号を波形整形する。波形整形回路５４の出力信号は、上記温度情報信号ＴＩＳと同一の時比率を有する信号として、信号線ＳＬ１を介してマイコン２０に取り込まれる。より正確には、周期に対する論理「Ｌ」期間の比率が、上記温度情報信号ＴＩＳの時比率と同一の信号としてマイコン２０に取り込まれる。
【００２９】
また、フォトカプラ４６の出力信号は、遅延回路（ディレイ５６）に取り込まれる。ディレイ５６は、フォトカプラ４６の出力信号を遅延させて出力する。ディレイ５６の出力信号と、上記波形整形回路５４の出力信号とは、排他的論理和回路５８に取り込まれる。排他的論理和回路５８では、ディレイ５６の出力信号と波形整形回路５４の出力信号との排他的論理和信号を生成して出力する。排他的論理和回路５８の出力信号は、上記フェール信号ＦＬとして、上記信号線ＳＬ１とは別の信号線ＳＬ２を介してマイコン２０に取り込まれる。
【００３０】
図３に、上記フォトカプラ４６の出力信号から、温度情報信号ＴＩＳ及びフェール信号ＦＬを抽出する処理を示す。詳しくは、図３（ａ）に、温度情報信号ＴＩＳの推移を示し、図３（ｂ）に、フェール信号ＦＬの推移を示し、図３（ｃ）に、合成信号ＣＳの推移を示す。また、図３（ｄ）に、フォトカプラ４６の出力信号の推移を示し、図３（ｅ）に、ローパスフィルタ５２の出力信号の推移を示し、図３（ｆ）に、波形整形回路５４の出力信号の推移を示す。更に、図３（ｇ）に、ディレイ５６の出力信号の推移を示し、図３（ｈ）に、排他的論理和回路５８の出力信号の推移を示す。
【００３１】
図示されるように、フェール信号ＦＬが出力されない場合には、合成信号ＣＳが温度情報信号ＴＩＳに等しくなる。このため、フォトカプラ４６の出力信号は、温度情報信号ＴＩＳの論理を反転させた信号となる。そして、波形整形回路５４の出力信号は、温度情報信号ＴＩＳの論理値を反転させて且つ、ローパスフィルタ５２の遅延量だけ遅延させた信号となっている。
【００３２】
一方、温度情報信号ＴＩＳの論理「Ｌ」期間においてフェール信号ＦＬが出力される場合、合成信号ＣＳは、その論理「Ｌ」期間においてフェール信号ＦＬに対応した期間だけ論理「Ｈ」となる。このため、フォトカプラ４６の出力は、温度情報信号ＴＩＳの論理を反転させた信号と基本的には同一となるのが、その論理「Ｈ」期間において、フェール信号ＦＬに対応した期間だけ論理「Ｌ」となる。一方、ローパスフィルタ５２の出力信号は、フェール信号ＦＬに対応した論理「Ｌ」期間を透過させない。このため、波形整形回路５４の出力は、温度情報信号ＴＩＳに対応したものとなる。これに対し、ディレイ５６の出力信号は、フォトカプラ４６の出力信号を遅延させたものとなっている。そして、図示されるように、この遅延量は、ローパスフィルタ５２の遅延量と同一となるように設定されている。このため、ディレイ５６の出力信号は、波形整形回路５４の出力信号と基本的には同一であるが、その論理「Ｈ」期間において、フェール信号ＦＬに対応した期間だけ論理「Ｌ」となる信号となる。このため、排他的論理和回路５８の出力信号は、この期間だけ論理「Ｈ」となり、フェール信号ＦＬが抽出された信号となっている。
【００３３】
また、温度情報信号ＴＩＳの論理「Ｈ」期間においてフェール信号ＦＬが出力される場合、合成信号ＣＳは、その論理「Ｈ」の期間において、フェール信号ＦＬに対応した期間だけ論理「Ｌ」となる。このため、フォトカプラ４６の出力信号は、温度情報信号ＴＩＳを論理反転させた信号と基本的には同一となるが、その論理「Ｌ」の期間において、フェール信号ＦＬに対応した期間だけ論理「Ｈ」となる。一方、ローパスフィルタ５２の出力信号は、このフェール信号ＦＬに対応した極短い期間の電圧変化を透過させないため、波形整形回路５４の出力信号は温度情報信号ＴＩＳに対応したものとなる。これに対し、ディレイ５６の出力信号は、フォトカプラ４６の出力信号を遅延させたものとなる。このため、ディレイ５６の出力信号は、波形整形回路５４の出力信号と基本的には同一となるが、その論理「Ｌ」期間においてフェール信号ＦＬに対応した期間だけ論理「Ｈ」となる信号となる。このため、排他的論理和回路５８の出力信号は、この期間だけ論理「Ｈ」となり、フェール信号ＦＬが抽出された信号となっている。
【００３４】
以上詳述した本実施形態によれば、以下の効果が得られるようになる。
【００３５】
（１）温度情報信号ＴＩＳ及びフェール信号ＦＬをフォトカプラ４６及びシリアルラインを介して高圧システム側から受信して且つ、この信号から温度情報信号ＴＩＳ及びフェール信号ＦＬを抽出した。これにより、絶縁手段（フォトカプラ）の数の増大を好適に抑制することができる。
【００３６】
（２）温度情報信号ＴＩＳを論理「Ｈ」及び論理「Ｌ」の時比率信号とするとともに、フェール信号ＦＬを時比率信号の論理「Ｈ」及び論理「Ｌ」のいずれの期間よりも短いパルス信号として且つ、シリアルライン及びフォトカプラ４６を介して伝達される信号を温度情報信号ＴＩＳ及びフェール信号ＦＬの排他的論理和信号とした。これにより、排他的論理和信号に、時比率信号の論理「Ｈ」及び論理「Ｌ」の期間よりも短い期間だけ変化が生じるか否かによって、フェール信号ＦＬを表現することができる。
【００３７】
（３）温度情報信号ＴＩＳを抽出する手段として、ローパスフィルタ５２及び波形整形回路５４を備えて且つ、フェール信号ＦＬを抽出する手段として、遅延回路（ディレイ５６）と、抽出される温度情報信号ＴＩＳ(波形整形回路５４の出力信号)及びディレイ５６の出力信号の排他的論理和信号を生成する排他的論理和回路５８とを備えた。これにより、温度情報信号ＴＩＳ及びフェール信号ＦＬを適切に抽出することができる。
【００３８】
（４）抽出される２つの信号である温度情報信号ＴＩＳ及びフェール信号ＦＬを各別の信号線によってマイコン２０が受信するようにした。これにより、温度情報信号ＴＩＳ及びフェール信号ＦＬをマイコン２０が簡易に取得することができる。
【００３９】
（５）高圧システム内の温度情報に関する信号である温度情報信号ＴＩＳとフェール信号ＦＬとを論理合成した。ここで、温度情報信号ＴＩＳを伝達することで、高圧システム内の温度を適切に管理することができる。また、温度情報は、フェール信号ＦＬほどにはその情報を迅速に伝達させる要求に乏しいため、フェール信号ＦＬを温度情報信号ＴＩＳの論理「Ｈ」及び論理「Ｌ」の期間よりも短いパルス信号とする設定が特に有効である。
【００４０】
（その他の実施形態）
なお、上記実施形態は、以下のように変更して実施してもよい。
【００４１】
・上記実施形態では、スイッチング素子ＳＷ１〜ＳＷ６に過度の電流が流れる場合にフェール信号ＦＬを生成したが、これに限らない。例えば、スイッチング素子ＳＷ１〜ＳＷ６を駆動する駆動回路の温度が過度に上昇する場合にフェール信号ＦＬを生成してもよい。
【００４２】
・フェール信号としては、異常が生じたタイミング及び異常が解消したタイミングで論理「Ｈ」となるパルスに限らない。例えば異常が解消した場合についてはなんら変化しない信号としてもよい。
【００４３】
・上記実施形態では、温度情報信号ＴＩＳを時比率信号とし、フェール信号ＦＬを上記時比率信号の論理「Ｈ」及び論理「Ｌ」の双方の期間よりも短いパルス信号としたがこれに限らない。例えば、上記実施形態と同様に、温度情報信号ＴＩＳが論理「Ｈ」となる期間が所定以上となるように設定して且つ、フェール信号ＦＬが出力される場合、合成信号ＣＳを論理「Ｌ」に固定するものとしてもよい。また逆に、温度情報信号ＴＩＳを論理「Ｌ」となる期間が所定以上となる信号として且つ、フェール信号ＦＬが出力される場合、合成信号ＣＳを論理「Ｈ」に固定してもよい。こうした設定は、フェール信号ＦＬが出力される場合には、インバータ１２をシャットダウンするなどの処置の優先度の方が、スイッチング素子ＳＷ１〜ＳＷ６の温度情報の取得の優先度よりも高いことを根拠としている。
【００４４】
また、温度情報信号ＴＩＳを時比率信号とするとともに、フェール信号ＦＬをこれよりも高周波の信号として且つ、合成信号ＣＳを、温度情報信号ＴＩＳが論理「Ｈ」であって且つフェール信号ＦＬが論理「Ｈ」でない場合に論理「Ｈ」となる信号としてもよい。この場合、合成信号ＣＳをローパスフィルタで処理することで温度情報信号ＴＩＳを抽出することができる。また、ローパスフィルタの出力の波形整形信号と合成信号ＣＳの出力の遅延信号との排他的論理和信号として、フェール信号ＦＬを抽出することができる。これにより、短いパルス信号が周期的に出力される期間をフェール信号ＦＬの出力期間として、異常ありとすることができる。
【００４５】
また例えば、温度情報信号をＤｕｔｙ信号として且つ、その周波数がフェール信号ＦＬの有無に応じて変化するものとしてもよい。換言すれば、フェール信号ＦＬを、Ｄｕｔｙ信号の周波数を規定する信号としてもよい。この場合、例えば、ローパスフィルタ及びハイパスフィルタの論理和信号を温度情報信号として且つ、ローパスフィルタからＤｕｔｙ信号が出力される場合には、正常時であると判断し、ハイパスフィルタからＤｕｔｙ信号が出力される場合には、異常時である（フェール信号ＦＬ出力あり）と判断すればよい。こうした設定であっても、温度情報信号ＴＩＳの高周波時における論理「Ｈ」及び論理「Ｌ」の最大時間が、低周波時における論理「Ｈ」及び論理「Ｌ」の最小時間よりも短いなら、マイコン２０によって周波数の変化を認知することができるため、温度情報を取得することができる。
【００４６】
・フォトカプラ４６の出力から温度情報信号ＴＩＳ及びフェール信号ＦＬを抽出する抽出手段としては、上記実施形態及びその変形例で例示したものに限らない。例えば、マイコン２０内において、エッジ検出及びエッジからの計時動作に基づき、温度情報信号ＴＩＳとフェール信号ＦＬとをソフトフェア処理にて抽出するようにしてもよい。
【００４７】
・上記実施形態では、スイッチング素子ＳＷ１〜ＳＷ６のそれぞれについて、これらに過度の電流が流れる場合にフェール信号を出力するようにしたが、これに限らない。例えばこれらスイッチング素子ＳＷ１〜ＳＷ６の少なくとも１つに過度の電流が流れる場合にフェール信号ＦＬを出力するようにしてもよい。この場合、スイッチング素子ＳＷ１〜ＳＷ６のいずれか１つの温度情報信号とフェール信号とを合成すればよい。
【００４８】
・高圧システム内の物理量に関する情報を表現する物理量情報信号としては、スイッチング素子ＳＷ１〜ＳＷ６に限らない。例えば、インバータＩＶを冷却する冷却装置内の冷却流体の温度に関する情報であってもよい。このように、温度情報信号が単一となる場合、スイッチング素子ＳＷ１〜ＳＷ６のいずれか１つのフェール信号とこの単一の温度情報信号とを合成すればよい。更に、上記のようにスイッチング素子ＳＷ１〜ＳＷ６の少なくとも１つに過度の電流が流れる場合にフェール信号を生成する設定とするなら、これら単一のフェール信号と単一の温度情報信号とを合成すればよい。
【図面の簡単な説明】
【００４９】
【図１】一実施形態にかかるシステム構成図。
【図２】同実施形態における温度情報信号及びフェール信号の伝達経路の構成を示す図。
【図３】同実施形態にかかる温度情報信号及びフェール信号の伝達態様を例示するタイムチャート。
【符号の説明】
【００５０】
１２…インバータ、１６…ドライバユニット、２０…マイコン、ＳＤ…感温ダイオード、ＴＩＳ…温度情報信号、ＦＬ…フェール信号。
【図１】
2009136115.tif 000003
【図２】
2009136115.tif 000004
【図３】
2009136115.tif 000005